(57)【特許請求の範囲】
【請求項１】
パネル部と、そのパネル部の周縁に折り曲げ形成された挿入部とを有し、その挿入部が筐体の開口部に挿入されて取り付けられるパネルの上記挿入部に複数の接触機構が設けられ、それら接触機構が上記開口部の内面と接触する構造とされたＥＭＣ対策用の接地構造であって、
上記挿入部に、その挿入方向に伸長する複数のスリットが形成され、かつそれらスリットの上記パネル部側の端部にそれぞれ続いて上記パネル部の端縁にかかる上記スリットより幅広の穴が形成され、
上記開口部に上記各スリットの位置に対応して切欠きが形成され、
それら各切欠きの位置に対応して上記開口部の外周面にはめ込まれるフレームの内面に突条が形成され、それら突条は上記フレームの内面に対する直立部と、その直立部の先端に形成された上記フレームの内面とほぼ平行な押圧部とよりなるものとされ、
上記フレームを上記パネルが取り付けられた開口部の外周面にはめ込むことにより、上記突条の直立部が上記穴及びスリットと切欠きとに挿通され、上記押圧部と上記フレームの内面とによって上記開口部と挿入部とが互いに近接する方向に押圧挟持される構造とされていることを特徴とするＥＭＣ対策用接地構造。
【請求項２】
請求項１記載のＥＭＣ対策用接地構造において、
上記突条は断面Ｌ字状とされていることを特徴とするＥＭＣ対策用接地構造。
【請求項３】
請求項１記載のＥＭＣ対策用接地構造において、
上記突条は断面Ｔ字状とされていることを特徴とするＥＭＣ対策用接地構造。
【請求項４】
請求項１乃至３記載のいずれかのＥＭＣ対策用接地構造において、
上記接触機構は遊端に接点部を有するアームよりなり、そのアームは上記パネルの挿入部に一体形成されていることを特徴とするＥＭＣ対策用接地構造。
【発明の詳細な説明】
【０００１】
【発明の属する技術分野】
この発明は例えば電子計測器等において、筐体と、その筐体に取り付けられるパネルとの間に対策されるＥＭＣ用の接地構造に関する。
【０００２】
【従来の技術】
この種の接地構造の従来例を図面を参照して説明する。図９は電子計測器１１の外観の一例を示したものであり、図１０はその筐体１２の概略構造を示したものである。板金製の筐体１２はこの例ではその前面と背面が開放された箱状とされており、その前面側の開口部１３は各辺に分離されてなる４つの係合部１４によって構成され、同様に背面側の開口部１５は４つの係合部１６によって構成されている。
【０００３】
図１１は筐体１２の前面側開口部１３に取り付けられるパネル１７の概略形状を示したものである。パネル１７は板金製とされて、パネル部１８と、そのパネル部１８の周縁の各辺に折り曲げ形成された挿入部１９とを有するものとされ、この挿入部１９が筐体１２の開口部１３に挿入され、各係合部１４の内面と対面されて取り付けられるものとなっている。なお、パネル部１８の右半部に形成されている各種キー穴は、その図示を省略している。
【０００４】
パネル１７の挿入部１９にはＥＭＣ対策用の接触機構としてバネ片２１が所定のピッチで配列されて取り付けられている。バネ片２１は例えば板バネよりなり、図１２に示したようにく字状とされ、かつ両端部が折り返された形状とされて、その両端部が挿入部１９に形成された取り付け穴２２にはめ込まれて取り付けられるものとなっている。
【０００５】
パネル１７の筐体１２の開口部１３への取り付けにより、バネ片２１は係合部１４の内面と接触し、これにより筐体１２とパネル１７との所望の接触状態が得られる。なお、パネル１７が取り付けられた後、筐体１２の開口部１３の外周面には図１３に示したように樹脂製のフレーム２３がはめ込まれて取り付けられる。
【０００６】
【発明が解決しようとする課題】
上述したように、従来のＥＭＣ対策用接地構造は筐体１２とパネル１７との所望の接触状態を得るべく、パネル１７の挿入部１９に接触機構として多数のバネ片２１を取り付ける構造となっている。
しかるに、この構造では多数のバネ片２１が取り付けられた挿入部１９が筐体１２の開口部１３に押し込まれるため、バネ片２１の押圧力によって係合部１４に外側にふくれるようにたわみが生じやすく、この傾向はその長さの長い、つまりより多くのバネ片２１と対接する開口部１３の長辺に位置する係合部１４においてより顕著に現われ、このふくれによって特に中央部に位置するバネ片２１が係合部１４と確実に接触しないという問題が発生していた。
【０００７】
この発明の目的はこの問題に鑑み、ふくれによる接触不良を防止できるようにし、接触を強化できるようにしたＥＭＣ対策用接地構造を提供することにある。
【０００８】
【課題を解決するための手段】
請求項１の発明によれば、パネル部と、そのパネル部の周縁に折り曲げ形成された挿入部とを有し、その挿入部が筐体の開口部に挿入されて取り付けられるパネルの上記挿入部に複数の接触機構が設けられ、それら接触機構が上記開口部の内面と接触する構造とされたＥＭＣ対策用の接地構造において、上記挿入部に、その挿入方向に伸長する複数のスリットが形成され、かつそれらスリットのパネル部側の端部にそれぞれ続いてパネル部の端縁にかかるスリットより幅広の穴が形成され、上記開口部に各スリットの位置に対応して切欠きが形成され、それら各切欠きの位置に対応して上記開口部の外周面にはめ込まれるフレームの内面に突条が形成され、それら突条はフレームの内面に対する直立部と、その直立部の先端に形成されたフレームの内面とほぼ平行な押圧部とよりなるものとされ、フレームをパネルが取り付けられた開口部の外周面にはめ込むことにより、上記突条の直立部が上記穴及びスリットと切欠きとに挿通され、上記押圧部とフレームの内面とによって上記開口部と挿入部とが互いに近接する方向に押圧挟持される構造とされる。
【０００９】
請求項２の発明では請求項１の発明において、上記突条が断面Ｌ字状とされる。
請求項３の発明では請求項１の発明において、上記突条が断面Ｔ字状とされる。
請求項４の発明では請求項１乃至３のいずれかの発明において、上記接触機構が遊端に接点部を有するアームよりなり、そのアームはパネルの挿入部に一体形成されたものとされる。
【００１０】
【発明の実施の形態】
この発明の実施の形態を図面を参照して実施例により説明する。なお、図１０乃至１３と対応する部分には同一符号を付してある。
まず、この発明におけるパネル、筐体及びフレームの各構成について説明する。
【００１１】
パネル１７には図１に示したようにスリット３１及びそれに続く穴３２が複数箇所に設けられる。この例ではこれらスリット３１及び穴３２はパネル部１８の相対向する長辺のそれぞれ中央よりの部分に対応して設けられ、かつそれぞれ４箇所に設けられている。
スリット３１は挿入部１９に、その挿入方向に伸長して形成され、このスリット３１のパネル部１８側の端部に続いて穴３２が形成されている。穴３２は挿入部１９からパネル部１８の端縁にかかって形成されており、つまり折り曲げ部をまたいで形成されており、折り曲げ部を展開した状態では方形をなし、かつその一辺がスリット３１の一方の側縁の延長上に位置されており、その幅はスリット３１の幅より大とされている。
【００１２】
筐体１２の開口部１３には図２に示したように切欠き３３が形成される。切欠き３３はパネル１７の各スリット３１の位置に対応して形成され、即ち開口部１３の長辺に位置する係合部１４にそれぞれ４つずつ形成される。切欠き３３の幅はスリット３１の幅とほぼ等しくされている。
一方、フレーム２３の内面２３ａには図３に示したように突条３４が一体成形されて形成される。突条３４は筐体１２の各切欠き３３の位置に対応して形成されており、図４に拡大して示したようにフレーム２３の内面２３ａに対する直立部３４ａと、その直立部３４ａの先端に形成されたフレーム２３の内面２３ａとほぼ平行な押圧部３４ｂとによって構成され、この例では断面Ｌ字状とされている。なお、直立部３４ａ及び押圧部３４ｂの幅はそれぞれパネル１７に形成されたスリット３１及び穴３２の幅より小とされている。
【００１３】
次に、これら筐体１２、パネル１７及びフレーム２３の組み立てについて説明する。パネル１７の挿入部１９には従来と同様に接触機構としてバネ片２１が所要数取り付けられており、筐体１２の開口部１３に押し込まれて取り付けられる。そして、フレーム２３がその開口部１３の外周面にはめ込まれる。
この際、各突条３４の直立部３４ａは図５Ａに示したように、互いに対向している筐体１２の切欠き３３とパネル１７の穴３２及びスリット３１に挿通され、押圧部３４ｂは穴３２を通ってパネル１７の挿入部１９の内面側に位置される。突条３４の直立部３４ａの高さはこの状態で押圧部３４ｂが挿入部１９に圧接するように選定されており、これにより押圧部３４ｂとフレーム２３の内面２３ａとによって図５Ｂに示したように筐体１２の係合部１４とパネル１７の挿入部１９とが互いに近接する方向に押圧挟持される構造となる。
【００１４】
つまり、たとえ係合部１４にふくれが生じても突条３４によって係合部１４と挿入部１９との間隔が規定されるため、バネ片２１の、係合部１４との良好かつ安定した接触状態が常に得られるものとなる。
なお、突条３４の形状はこの例に限らず、例えば図６に示したように断面Ｔ字状としてもよい。この場合はパネル１７に設ける穴３２は図６Ａに示したように、スリット３１に対してその幅方向両側に広がった形状とされる。
【００１５】
図７はバネ片２１に替えて、接触機構をパネル１７に一体形成した片持ち梁状のアーム３５によって構成するようにした例を示したものである。アーム３５は挿入部１９を打ち抜くことによって形成され、図８に拡大して示したように、その遊端から基端にかけて幅（断面積）が漸増する三角形状をなし、その遊端には接点部３６が折り曲げ形成されたものとなっている。
【００１６】
パネル１７は鉄板等の板金加工によって一般に形成され、つまりアーム３５はバネ材ではない材料によって構成されるが、上記のような形状とすることにより、曲げ応力が分散され、応力の均一化を図ることができるため、塑性変形に至ることなく、所要の弾接力を有する接触機構として機能する。
図７に示したパネル１７においても、そのスリット３１及び穴３２に、フレーム２３の突条３４が挿入されて組み立てられることにより、各アーム３５の接点部３６は筐体１２の係合部１４に確実に接触するものとなる。
【００１７】
なお、上述した各例では筐体１２の開口部１３の長辺部分において、それぞれその中央よりの４箇所を押圧挟持できる構造としているが、これに限らず筐体１２の係合部１４とパネル１７の挿入部１９とを押圧挟持する箇所及び数は必要に応じて適宜決定される。
【００１８】
【発明の効果】
以上説明したように、この発明によれば例えばバネ片などのＥＭＣ対策用の接触機構が設けられたパネル挿入部と、その接触機構が接触する筐体係合部とが互いに近接する方向に押圧されて、その間隔が規定されるため、接触機構の安定かつ確実な接触状態を得ることができ、つまり従来に比し、接触を強化することができる。
【００１９】
また、筐体係合部がフレームに設けた突条により、曲げにより相対的に強度のあるパネル挿入部に押さえ込まれるため、そのふくれを防止することができ、よってこれらの点から、この発明による接地構造によれば優れたＥＭＣ性能を得ることができる。
【図面の簡単な説明】
【図１】この発明におけるパネル（バネ片付）の構成例を示す図、Ａは正面図、Ｂは左側面図、Ｃは右側面図、Ｄは平面図、Ｅは底面図。
【図２】この発明における筐体の構成を説明するための斜視図。
【図３】この発明におけるフレームの構成を説明するための斜視図。
【図４】図３の要部拡大図。
【図５】Ａは図３のフレームが組み込まれる時の要部拡大斜視図、Ｂはその組み込まれた状態を示す断面図。
【図６】Ａは突条が断面Ｔ字状とされたフレームが組み込まれる時の要部拡大斜視図、Ｂはその組み込まれた状態を示す断面図。
【図７】この発明におけるパネルの他の構成例を示す図、Ａは正面図、Ｂは左側面図、Ｃは右側面図、Ｄは平面図、Ｅは底面図。
【図８】Ａは図７の部分拡大図、Ｂはその断面図。
【図９】電子計測器の外観の一例を示す斜視図。
【図１０】図９における筐体の概略構造を示す斜視図。
【図１１】図９におけるパネル（バネ片付）の概略形状を示す斜視図。
【図１２】バネ片の取り付け構造を説明するための図。
【図１３】図９におけるフレームの概略形状及びその取り付けを示す斜視図。
【図１】
0003809005.tif 000002
【図２】
0003809005.tif 000003
【図３】
0003809005.tif 000004
【図４】
0003809005.tif 000005
【図５】
0003809005.tif 000006
【図６】
0003809005.tif 000007
【図７】
0003809005.tif 000008
【図８】
0003809005.tif 000009
【図９】
0003809005.tif 000010
【図１０】
0003809005.tif 000011
【図１１】
0003809005.tif 000012
【図１２】
0003809005.tif 000013
【図１３】
0003809005.tif 000014